(57)【要約】【課題】  放熱部の支持強度を十分に高めることができて、放熱部に安定した支持状態が得られる赤外線輻射ヒータ、及び本体カバーを放熱部とは関係なく取り外しできて、メンテナンス等の作業性を向上させ得る赤外線輻射ヒータを提供する。【解決手段】  扁平形状の燃料タンクと、該燃料タンクの上面に配置されてバーナ部を覆う本体カバーと、該本体カバーの上面でバーナ部上方に配置された赤外線の輻射熱を放射可能な放熱部と、を備えた赤外線輻射ヒータにおいて、放熱部は、燃料タンクの外周部に固定された梁状のアームに支持されていることを特徴とする。前記本体カバーは、上面と周囲側面とにより形成されて、上面に設けた放熱部貫通孔を放熱部に対して上下方向に貫通させることにより、燃料タンク上に着脱される。【選択図】  図１
2007040579.tif 000002
【特許請求の範囲】
【請求項１】
扁平形状の燃料タンクと、該燃料タンクの上面に配置されてバーナ部を覆う本体カバーと、該本体カバーの上面でバーナ部上方に配置された赤外線の輻射熱を放射可能な放熱部と、を備えた赤外線輻射ヒータにおいて、
前記放熱部は、燃料タンクの外周部に固定された梁状のアームに支持されていることを特徴とする赤外線輻射ヒータ。
【請求項２】
前記アームは、２本のアーチ状の角パイプの端部をＬ字材で連結することにより梁状に形成され、２本の角パイプ上に放熱部が載置固定されると共にＬ字材が燃料タンクの外周フランジの上面に固定されていることを特徴とする請求項１に記載の赤外線輻射ヒータ。
【請求項３】
前記本体カバーは、上面と周囲側面とにより形成されて、上面に設けた放熱部貫通孔を放熱部に対して上下方向に貫通させることにより、燃料タンク上に着脱されることを特徴とする請求項１または２に記載の赤外線輻射ヒータ。
【請求項４】
前記燃料タンクは、その外周フランジの裏面に、床面に設置される設置部と移動時の把手部を有する脚パイプが固定されると共に、反把手部側にキャスタが回転可能に設けられていることを特徴とする請求項１ないし３のいずれかに記載の赤外線輻射ヒータ。
【請求項５】
前記放熱部は、その上部にファンが配置されると共に操作盤が設けられ、これらの配線が放熱部の支柱内に配置されていることを特徴とする請求項１ないし４のいずれかに記載の赤外線輻射ヒータ。
【発明の詳細な説明】
【技術分野】
【０００１】
本発明は、赤外線の輻射熱を放射する放熱部が燃料タンク上に配置された赤外線輻射ヒータに関する。
【背景技術】
【０００２】
従来、遠赤外線を含む赤外線の輻射熱を利用するヒータ（燃焼装置）としては、例えば特許文献１に開示のものが知られている。このヒータは、床面に設置可能な扁平形状の燃料タンクの上面に、本体カバーで覆われたバーナ本体や燃料ポンプ等からなるバーナ部を配置すると共に、本体カバーの上面でバーナ部の上方に放熱パイプを有する放熱部を配置し、さらに、この放熱部の上部にファン等が配置されている。
【特許文献１】特開平１１−３７５６２号公報
【発明の開示】
【発明が解決しようとする課題】
【０００３】
しかしながら、このようなヒータにおいては、バーナ部を覆う本体カバーの上面に、上部にファン等が配置された放熱部を載置固定する構成であるため、放熱部やファン等の重量が鉄板のプレス加工等により形成された本体カバーの上面に荷重として直接加わり、放熱部の支持強度を十分に高めて安定支持させることが難しい。また、本体カバー内に燃料ポンプやバーナ本体等のバーナ部が収納配置されているため、例えば燃料ポンプを点検する際に、放熱部を本体カバー上から一旦取り外した後でないと本体カバーを燃料タンク上から取り外すことができず、メンテナンスの作業性が極めて劣ることになる。
【０００４】
本発明は、このような事情に鑑みてなされたもので、その目的は、放熱部の支持強度を十分に高めることができて、放熱部に安定した支持状態が得られる赤外線輻射ヒータを提供することにある。また、他の目的は、本体カバーを放熱部とは関係なく取り外しできて、メンテナンス等の作業性を向上させ得る赤外線輻射ヒータを提供することにある。
【課題を解決するための手段】
【０００５】
かかる目的を達成すべく、本発明のうち請求項１に記載の発明は、扁平形状の燃料タンクと、該燃料タンクの上面に配置されてバーナ部を覆う本体カバーと、該本体カバーの上面でバーナ部上方に配置された赤外線の輻射熱を放射可能な放熱部と、を備えた赤外線輻射ヒータにおいて、前記放熱部は、燃料タンクの外周部に固定された梁状のアームに支持されていることを特徴とする。
【０００６】
そして、前記アームは、請求項２に記載の発明のように、２本のアーチ状の角パイプの端部をＬ字材で連結することにより梁状に形成され、２本の角パイプ上に放熱部が載置固定されると共にＬ字材が燃料タンクの外周フランジの上面に固定されていることが好ましい。また、前記本体カバーは、請求項３に記載の発明のように、上面と周囲側面とにより形成されて、上面に設けた放熱部貫通孔を放熱部に対して上下方向に貫通させることにより、燃料タンク上に着脱されることが好ましい。
【０００７】
さらに、前記燃料タンクは、請求項４に記載の発明のように、その外周フランジの裏面に、床面に設置される設置部と移動時の把手部を有する脚パイプが固定されると共に、反把手部側にキャスタが回転可能に設けられていることが好ましい。また、前記放熱部は、請求項５に記載の発明のように、その上部にファンが配置されると共に操作盤が設けられ、これらの配線が放熱部の支柱内に配置されていることが好ましい。
【発明の効果】
【０００８】
本発明のうち請求項１に記載の発明によれば、本体カバーの上面でバーナ部上方に配置された赤外線を放射可能な放熱部が、燃料タンクの外周部に固定された梁状のアームに支持されているため、放熱部の重量を梁状のアームを介して燃料タンクに強固に支持でき、支持強度を十分に高めて、放熱部の支持状態や赤外線の輻射熱の放射状態を安定させることができる。
【０００９】
また、請求項２に記載の発明によれば、請求項１に記載の発明の効果に加え、アームが２本のアーチ状の角パイプの端部をＬ字材で連結することにより梁状に形成され、２本の角パイプ上に放熱部が載置固定されると共にＬ字材が燃料タンクの外周フランジの上面に固定されるため、アームの構成を簡略化して安価に形成し得ると共に、アーム自体を燃料タンクに強固に固定でき、かつ角パイプ上に放熱部を簡単に固定することができる。
【００１０】
また、請求項３に記載の発明によれば、請求項１または２に記載の発明の効果に加え、本体カバーが上面と周囲側面とにより形成されて、上面に設けた放熱部貫通孔を放熱部に対して上下方向に貫通させることにより燃料タンク上に着脱されるため、バーナ部を覆う本体カバーを放熱部とは関係なく取り外すことができて、バーナ部等のメンテナンス作業を簡単に行うことができると共に、本体カバーで放熱部固定用ネジの外部への露出を防いで、ヒータのデザインの自由度を高めることができる。
【００１１】
さらに、請求項４に記載の発明によれば、請求項１ないし３に記載の発明の効果に加え、燃料タンクの外周フランジの裏面に、床面に設置される設置部と移動時の把手部を有する脚パイプが固定されると共に、反把手部側にキャスタが回転可能に設けられているため、ヒータ自体を移動可能に構成できて、その使い勝手の向上を図ることができる。
【００１２】
また、請求項５に記載の発明によれば、請求項１ないし４に記載の発明の効果に加え、放熱部の上部にファンが配置されると共に操作盤が設けられ、これらの配線が放熱部の支柱内に配置されているため、上部に配置した操作盤によりヒータの操作を簡単に行うことができると共に、配線を支柱内に隠すことができて、ヒータのデザインの自由度を一層高めることができる。
【発明を実施するための最良の形態】
【００１３】
以下、本発明を実施するための最良の形態を図面に基づいて詳細に説明する。
図１〜図７は、本発明に係わる赤外線輻射ヒータの一実施形態を示し、図１がその概略構成図、図２が燃料タンクとアーム部分の平面図、図３〜図５がアームの斜視図、平面図、側面図、図６が本体カバーの斜視図、図７が放熱部の要部正面図である。
【００１４】
図１及び図２において、赤外線輻射ヒータ１（ヒータ１という）は、扁平形状の燃料タンク２と、この燃料タンク２上に配置され本体カバー４で覆われたバーナ部３と、このバーナ部３の上方に配置された放熱部５等を備えている。前記燃料タンク２は、鉄板で形成された有底皿状のタンク本体２ａと、このタンク本体２ａの外周フランジ２ｃの上面に固着された蓋体２ｂとで構成されている。この時、タンク本体２の外周フランジ２ｃに蓋体２ｂの外周フランジが上下方向に積層されて溶接されることにより、外周フランジ２ｃ部分が二重構造となっている。なお、蓋体２ｂの前後方向（長手方向で図１の左右方向）の一端側には、給油口６とレベル計７が取り付けられている。
【００１５】
また、燃料タンク２の前端側である給油口６側で外周フランジ２ｃの下面（裏面）には、脚パイプ８が図示しないボルトにより固着されている。この脚パイプ８は、金属パイプを屈曲形成することにより、燃料タンク２の幅方向に設けられた一対の固定部８ａと、この固定部８ａからそれぞれ下方に延設されて床面上に当接する一対の設置部８ｂと、この両設置部８ｂから前方斜め上方に延設されて両設置部８ｂを連結する把手部８ｃとにより構成されている。また、燃料タンク２の後端側の両側壁には、キャスタ取付板９ａを介してキャスタ９がそれぞれ取り付けられている。これにより、脚パイプ８の把手部８ｃを上方に持ち上げて設置部８ｂを床面上から浮かせ、把手部８ｃを引っ張るとキャスタ９の回転でヒータ１が所定方向に移動できるようになっている。
【００１６】
前記バーナ部３は、バーナ本体としてのロータリバーナ１０と、このロータリバーナ１０に燃料を供給する燃料ポンプ（図示せず）等からなり、燃料タンク２の上面中央部に取り付けられたバーナ取付板１１等に制御基板（図示せず）等と共に取り付けられている。このバーナ部３のロータリーバーナ１０が後述するファン２４の作動と共に燃料することにより、その火炎による燃焼ガスが上方に向けて吐出されて上方に位置する放射体２２内を通過して放射体２２を加熱し、該放射体２２からその周囲に赤外線の輻射熱が放射されるようになっている。
【００１７】
そして、このバーナ部３の周囲には、本体カバー４が装着されている。この本体カバー４は、図６に示すように、鉄板をプレス加工することにより、上面４ａとその外周４辺の側面４ｂとで形成され、上面４ａの略中央位置には放熱部貫通孔１２と後述するようにアーム１５に取り付けるための取付孔２８が形成されると共に、前端側の傾斜面には、開閉可能な蓋１４が設けられている。この蓋１４は、図１に示すように、その下方に燃料タンク２の前記給油口６が位置するようになっており、蓋１４を開放することにより、本体カバー４を装着したままでの燃料タンク２への給油が可能となっている。
【００１８】
このバーナ部３の上方に配置される前記放熱部５は、梁状のアーム１５によって燃料タンク２上に支持されている。すなわち、アーム１５は、図３〜図５に示すように、水平部１６ａと一対の垂直部１６ｂを有するアーチ状の２本の角パイプ１６と、この角パイプ１６の垂直部１６ｂ端部に溶接等により固着されて各角パイプ１６を連結する２本のＬ字材１７とで構成されている。なお、両角パイプ１６の水平部１６ａには、放熱部５固定用のネジ孔１９と本体カバー４固定用のネジ孔１３が所定位置に設けられている。そして、このアーム１５のＬ字材１７を燃料タンク２の外周フランジ２ｃの上面に載置した状態で、その取付孔１８を利用して燃料タンク２にネジ固定することにより、アーム１５が本体カバー４やバーナ部３とは関係ない状態で燃料タンク２上に固定されている。
【００１９】
また、放熱部５は、図１及び図７に示すように、例えば３本の角パイプ状の支柱２０と、この支柱２０の下端及び上端に固定された下端フランジ２１（図７参照）及び上面板（図示せず）と、支柱２０の内部に配置されて上部が前記上面板に支持された放射体２２と、前記上面板上に配置され内部にファン２４が内蔵されると共に、後端側に操作盤２５が配置された上部カバー２３等により構成されている。なお、図７に示すように、放射体２２の外側で３本の支柱２０間の下部には、平面視で円形を呈する火炎回り込み防止用のスリット２６ａを有する補強板２６が取り付けられると共に、この補強板２６上方の３本の支柱２０間には、平面視で円形を呈する金属棒からなる安全ガイド２７が複数本取り付けられている。
【００２０】
また、放熱部５の上部カバー２３に取り付けられる前記操作盤２５は、運転スイッチと、温度等を表示する表示器と、火力を上昇させる上昇スイッチ及び火力を下降させる下降スイッチ等（いずれも図示せず）が設けられている。そして、この操作盤２５に接続される配線あるいは上部カバー２３内のファン２４の配線は、前記３本の支柱２０の所定の支柱２０内を下方に通過して引き出され、バーナ部３を燃料タンク２上に取り付けるための前記バーナ取付板１１に配置された制御基板に電気的に接続されている。これにより、配線が外部から視認されないようになっている。
【００２１】
そして、この放熱部５は、その下端フランジ２１を前記燃料タンク２の外周フランジ２ｃ上に固定されたアーム１５の２本の角パイプ１６の水平部１６ａ上に載置し、下端フランジ２１に設けた取付孔２１ａ（図２参照）から固定ネジを両角パイプ１６の水平部１６ａに設けた各ネジ孔１９にねじ込むことにより、放熱部５がアーム１５に固定されて、その重量が全てアーム１５に荷重として加わるようになっている。
【００２２】
次に、このように構成されたヒータ１の組付作業及びメンナンス作業の一例について説明する。まず、ヒータ１の組み付けは、例えばキャスタ９や脚パイプ８が固定された燃料タンク２の上面にバーナ部３を固定すると共に、梁状に組み立てられたアーム１５を固定し、このアーム１５上に放熱部５を載置して固定する。そして、放熱部５を固定した状態で、本体カバー４の放熱部貫通孔１２を放熱部５に上方から貫通させて、本体カバー４で燃料タンク２上面とバーナ部３を覆い、該本体カバー４に設けた取付孔２８からアーム１５のネジ孔１３に固定ネジをねじ込む。
【００２３】
これにより、本体カバー４が燃料タンク２の上面側でバーナ部３の周囲を覆う状態で固定されると共に、本体カバー４がアーム１５の外側に位置することから、放熱部５とアーム１５の固定ネジ等が隠された状態で本体カバー４が燃料タンク２上に取り付けられる。つまり、前記ヒータ１は、燃料タンク２、バーナ部３、アーム１５及び放熱部５を予め組み立てておくことで、４つの部材を組み付けた後に、本体カバー４を取り付けることで組み付けできることになる。
【００２４】
一方、例えばバーナ部３の燃料ポンプが故障等して修理する場合は、先ず、本体カバー４のアーム１５に対する固定ネジを外して、本体カバー４の放熱部貫通孔１２を利用して上方に移動させつつ持ち上げ、本体カバー４を放熱部５から取り外す。この本体カバー４の取り外しにより、バーナ部３が外部に露出した状態となり、燃料ポンプ等の点検や交換等を簡単に行うことができる。この時、バーナ部３と放熱部５は組み付けたままの状態に維持されており、メンテナンス作業が本体カバー４の着脱操作のみによって簡単かつ的確に行えることになる。
【００２５】
このように、上記実施形態のヒータ１にあっては、放射体２２等を有する放熱部５が燃料タンク２の外周フランジ２ｃ上に固定された梁状のアーム１５に支持、すなわち従来のように本体カバーに支持されていないため、放射体２２や支柱２０、上部カバー２３、ファン２４等からなる放熱部５の全重量を梁状のアーム１５を介して燃料タンク２の外周フランジ２ｃで支持することができる。その結果、放熱部５の支持強度を十分に高めてその支持状態を安定させることができると共に、ヒータ１運転時の赤外線輻射熱の放射状態を安定させることができる。特に、燃料タンク２の外周フランジ部２ｃが、タンク本体２ａと蓋体２ｂの二重構造の溶接となっているため、外周フランジ２ｃの剛性がアップし、アーム１５を介する放熱部５の支持強度を一層高めることが可能となる。
【００２６】
また、アーム１５が２本のアーチ状の角パイプ１６の端部をＬ字材１７で連結することにより梁状に形成されているため、アーム１５の構成を簡略化して安価に形成することができると共に、２本の角パイプ１６の水平部１６ａ上に放熱部５の下端フランジ２１が所定幅の面接触状態で載置固定されると共に、Ｌ字材１７が燃料タンク２の外周フランジ２ｃの上面に所定幅の面接触状態で固定されるため、アーム１５自体を燃料タンク２に強固に固定できて、放熱部５の燃料タンク２に対する支持状態を一層安定させることができる。
【００２７】
さらに、２本の角パイプ１６の水平部１６ａ上に、所定幅のリング状の下端フランジ２１を載置して固定ネジをねじ込むことにより放熱部５がアーム１５に固定されるため、放熱部５のアーム１５への固定作業を簡単に行うことができる。また、本体カバー４が上面４ａと側面４ｂとにより形成されて、上面４ａに設けた放熱部貫通孔１２を放熱部５に対して上下方向に貫通させて、固定ネジの締め付けや取り外しにより燃料タンク２上に着脱されるため、放熱部５をアーム１５に固定した後に、本体カバー４をその放熱部貫通孔１２を利用してアーム１５に取り付けでき、本体カバー４の固定作業を容易に行うことができると共に、本体カバー４を放熱部５とは関係なく取り外すことができて、バーナ部３等のメンテナンス作業を極めて簡単に行うことが可能となる。
【００２８】
また、バーナ部３を覆う本体カバー４が、放熱部貫通孔１２のみを有して燃料タンク２上面とバーナ部３を覆うと共に、装着した際にアーム１５の外側に位置するため、装着された本体カバー４によって放熱部５固定用ネジ等の外部への露出を防いで、ヒータ１の外観デザインの自由度を高め、その意匠性の向上を図ることができる。またさらに、放熱部５の上部カバー２３にファン２４が内蔵されると共に操作盤２５が設けられ、これらの配線が放熱部５の支柱２０内に配置されているため、配線を支柱２０内に隠すことができて、ヒータ１の外観デザインの自由度を一層高めることができると共に、上部に配置した操作盤２５によりヒータ１自体の操作性を向上させることができる。
【００２９】
また、燃料タンク２の外周フランジ２ｃの裏面に、床面に設置される設置部８ｂと移動時の把手部８ｃを有する脚パイプ８が固定されると共に、反把手部８ｃ側にキャスタ９が回転可能に設けられているため、ヒータ１自体を移動可能に構成できて、所望位置への移動設置が簡単に行えると共に、移動式のヒータ１であっても、アーム１５により放熱部５を強固に支持して長期に亘り安定使用可能なヒータ１の提供が可能となる。
【００３０】
なお、上記実施形態においては、放熱部５を支持するアーム１５を、アーチ状の２本の角パイプ１６とＬ字材１７とで平面視長方形状に形成したが、本発明はこれに限定されず、全て角パイプ１６やＬ字材１７で形成する等、他の適宜の部材を使用して適宜の形状に形成することができる。また、上記実施形態における、放熱部５の支柱２０の本数や放射体２２の形態等の全体構造、バーナ本体や燃料タンク２の形態等も一例であって、例えばバーナ本体としてガンタイプバーナを使用する等、本発明に係わる各発明の要旨を逸脱しない範囲において、適宜に変更することができる。
【産業上の利用可能性】
【００３１】
本発明は、キャスタと脚パイプにより移動可能に構成された赤外線輻射ヒータに限らず、例えば固定脚によって所定位置に設置される固定式の赤外線輻射ヒータにも適用できる。
【図面の簡単な説明】
【００３２】
【図１】本発明に係わる赤外線輻射ヒータの一実施形態を示す概略構成図
【図２】同燃料タンクとアーム部分の平面図
【図３】同アームの斜視図
【図４】同アームの平面図
【図５】同アームの側面図
【図６】同本体カバーの斜視図
【図７】同放熱部の要部正面図
【符号の説明】
【００３３】
１・・・赤外線輻射ヒータ、２・・・燃料タンク、２ｃ・・・外周フランジ、３・・・バーナ部、４・・・本体カバー、４ａ・・・上面、４ｂ・・・側面、５・・・放熱部、８・・・脚パイプ、９・・・キャスタ、１０・・・ロータリーバーナ、１２・・・放熱部貫通孔、１５・・・アーム、１６・・・角パイプ、１６ａ・・・水平部、１６ｂ・・・垂直部、１７・・・Ｌ字材、２０・・・支柱、２１・・・下端フランジ、２２・・・放射体、２３・・・上部カバー、２４・・・ファン、２５・・・操作盤、２６・・・補強板、２７ｂ・・・安全ガイド。
【図１】
2007040579.tif 000003
【図２】
2007040579.tif 000004
【図３】
2007040579.tif 000005
【図４】
2007040579.tif 000006
【図５】
2007040579.tif 000007
【図６】
2007040579.tif 000008
【図７】
2007040579.tif 000009